(57)【要約】【課題】施術者の経験及び感覚によらずに，人骨へのステム挿入時の的確な骨折防止を可能とする骨折防止システムを提供する。【解決手段】人骨へのステム挿入時の骨折防止システムであって，人工股関節置換術中のステム打ち込み時の発生音を集音する指向性マイクと，前記指向性マイクにより集音される発生音の周波数スペクトラムを求める手段と，前記求められた周波数スペクトラムからフォルマント周波数を求める処理手段と，前記求められたフォルマント周波数を上書き記憶する記憶手段と，前記処理手段の制御信号に基づき警報を発するアラーム表示手段を備え，前記処理手段は，求めたフォルマント周波数を前記記憶手段に記憶されたフォルマント周波数と比較し，フォルマント周波数が同じであれば，前記記憶手段に上書きするとともに，カウンタ値を歩進し，前記カウンタ値が所定回数に達した時，前記アラーム表示手段に警告を表示させることを特徴とする。【選択図】図４
2014161481.tif 000002
【特許請求の範囲】
【請求項１】
人工股関節置換術中のステム打ち込み時の発生音を集音する指向性マイクと，
前記指向性マイクにより集音される発生音の周波数スペクトラムを求める手段と，
前記求められた周波数スペクトラムからフォルマント周波数を求める処理手段と，
前記求められたフォルマント周波数を上書き記憶する記憶手段と，
前記処理手段の制御信号に基づき警報を発するアラーム表示手段を備え，
前記処理手段は，求めたフォルマント周波数を前記記憶手段に記憶されたフォルマント周波数と比較し，フォルマント周波数が同じであれば，前記記憶手段に上書きするとともに，カウンタ値を歩進し，
前記カウンタ値が所定回数に達した時，前記アラーム表示手段に警告を表示させる，
ことを特徴とする人骨へのステム挿入時の骨折防止システム。
【請求項２】
請求項１において，
前記フォルマント周波数は，前記周波数スペクトラムをフーリエ変換して得られるパワースペクトラムの最大強度の周波数である，
ことを特徴とする人骨へのステム挿入時の骨折防止システム。
【請求項３】
前記カウンタ値の所定回数を３回とすること，
を特徴とする人骨へのステム挿入時の骨折防止システム。
【請求項４】
人工股関節置換術中のステム打ち込み時の発生音を集音する指向性マイクと，
前記指向性マイクにより集音される発生音の周波数スペクトラムを求める手段と，
前記求められた周波数スペクトラムからフォルマント周波数を求める処理手段を有して人骨へのステム挿入時の骨折防止システムにおいて実行されるプログラムであって，
指向性マイクに人工股関節置換術中のステム打ち込み時の発生音を集音させるステップと，
前記集音される発生音の周波数スペクトラムを求めるステップと，
処理手段に，前記求められた周波数スペクトラムからフォルマント周波数を求めさせるステップと，
記憶手段に，前記求められたフォルマント周波数を上書き記憶させるステップと，
前記処理手段に，前記求めたフォルマント周波数を前記記憶手段に記憶されたフォルマント周波数と比較し，フォルマント周波数が同じであれば，前記記憶手段に上書きするとともに，カウンタ値を歩進させるステップと，
さらに前記前記処理手段に，前記カウンタ値が所定回数に達した時，アラーム表示手段に警告を表示させるステップを実行させる，
ことを特徴とする人骨へのステム挿入時の骨折防止するプログラム。
【発明の詳細な説明】
【技術分野】
【０００１】
本発明は，人骨へのステム挿入時の骨折防止システム及びこれに使用するプログラムに関する。
【背景技術】
【０００２】
近年，人工股関節置換技術において，セメントを用いないで大腿骨にステムを挿入固定して行うセメントレス固定の施術例が増加している。この理由は，セメントが有機溶剤であり，かかるセメントの使用が手術時間の延長や心肺機能に合併症を有する高齢者の循環動態に悪影響を生じさせる可能性があり，これを避けるためである。
【０００３】
人工股関節置換におけるセメントレス固定においては，ステムと大腿骨間の十分な固定性を得るために，強い力で十分にプレスフィットさせることが必要である。すなわち，セメントレス固定を行う場合は，ステムと大腿骨間の十分な固定性を得るため，施術者はハンマーを用いてステムを大腿骨に打ち込み挿入することを行っている。
【０００４】
そして，かかる打ち込み挿入する際のハンマーの打ち込み力及び打ち込み回数は，施術者の経験及び感覚によるところが大である。したがって，施術者の経験あるいは，状態によりハンマーの打ち込み挿入する力及び回数により，術中に大腿骨骨折を招くおそれがある。セメントレス固定を行った患者において，合併症である術中における大腿骨骨折が4.1〜27.8％も発症していることも報告されている（非特許文献１）。また，人工骨頸置換術におけるステム挿入時のハンマリング音の解析が報告されている(非特許文献２)。
【先行技術文献】
【非特許文献】
【０００５】
【非特許文献１】Schwartz JT, Mayer JG, et al.: Femoral fracture during non-cemented total hip arthroplasty. J Bone Joint Surg Am. 1989; 71: 1135-1142
【非特許文献２】Sound wave analysisによるセメントレス大腿骨ステム挿入時のハンマリング音の解析：大山純一，遠藤ミゲル雅祟，古市  格，村田雅和，整・災外1105-1109,2010
【発明の概要】
【発明が解決しようとする課題】
【０００６】
上記に鑑みて，本発明の目的は，施術者の経験及び感覚によらずに，人骨へのステム挿入時の的確な骨折防止を可能とする骨折防止システムを提供することにある。
【課題を解決するための手段】
【０００７】
上記本発明の目的に従う人骨へのステム挿入時の骨折防止システムは，第１の側面として，人工股関節置換術中のステム打ち込み時の発生音を集音する指向性マイクと，前記指向性マイクにより集音される発生音の周波数スペクトラムを求める手段と，前記求められた周波数スペクトラムからフォルマント周波数を求める処理手段と，前記求められたフォルマント周波数を上書き記憶する記憶手段と，前記処理手段の制御信号に基づき警報を発するアラーム表示手段を備え，前記処理手段は，求めたフォルマント周波数を前記記憶手段に記憶されたフォルマント周波数と比較し，フォルマント周波数が同じであれば，前記記憶手段に上書きするとともに，カウンタ値を歩進し，前記カウンタ値が所定回数に達した時，前記アラーム表示手段に警告を表示させることを特徴とする。
【０００８】
上記本発明の目的に従う人骨へのステム挿入時の骨折防止システムは，前記第１の側面において，前記フォルマント周波数は，前記周波数スペクトラムをフーリエ変換して得られるパワースペクトラムの最大強度の周波数であることを特徴とする。
【０００９】
また，上記本発明の目的に従う人骨へのステム挿入時の骨折防止システムは，前記第１の側面において，前記カウンタ値の所定回数を３回とすることを特徴とする。
【００１０】
さらに，上記本発明の目的に従う人骨へのステム挿入時の骨折防止システムにおいて実行されるプログラムは，指向性マイクに人工股関節置換術中のステム打ち込み時の発生音を集音させるステップと，前記集音される発生音の周波数スペクトラムを求めるステップと，処理手段に，前記求められた周波数スペクトラムからフォルマント周波数を求めさせるステップと，記憶手段に，前記求められたフォルマント周波数を上書き記憶させるステップと，前記処理手段に，前記求めたフォルマント周波数を前記記憶手段に記憶されたフォルマント周波数と比較し，フォルマント周波数が同じであれば，前記記憶手段に上書きするとともに，カウンタ値を歩進させるステップと，さらに前記前記処理手段に，前記カウンタ値が所定回数に達した時，アラーム表示手段に警告を表示させるステップを実行させることを特徴とする。
【発明の効果】
【００１１】
本発明に従う骨折防止システムにより，骨折の副作用を回避して人工骨頸置換術を安全に施すことを可能にする。
【図面の簡単な説明】
【００１２】
【図１】本発明に従う骨折防止システムの一実施例概念図である。
【図２】人工骨頸となるステムの形態例を示す図である。
【図３】本発明の骨折防止システムに適用される処理装置の一構成例機能ブロック図である。
【図４】図３の構成を用いる，本発明に従う一実施例の処理フローである。
【図５】フォルマント周波数とスペクトル強度の一例を示す図である。
【図６】実験例１により求めたハンマリング回数とフォルマント周波数の関係を示すグラフである。
【図７】実験例２により求めたハンマリング回数とフォルマント周波数の関係を示すグラフである。
【図８】実験例３における実験結果のグラフであり，実線がフォルマント周波数の変化，破線が応力の変化のグラフである。
【図９】実験例４における実験結果のグラフであり，実線がフォルマント周波数の変化，破線が応力の変化のグラフである。
【図１０】実験例５により求めたハンマリング回数とフォルマント周波数の関係を示すグラフである。
【発明を実施するための形態】
【００１３】
以下図面に従い，本発明に従う人骨へのステム挿入時の骨折防止システムの実施例を説明する。なお，実施例説明は，本発明の理解のためのものであり，本発明の保護の範囲は，これら実施例に限定されるものではなく，特許請求の範囲に記載されたもの，及びこれに近似するものにも及ぶ。
【００１４】
図１は，本発明に従う骨折防止システムの一実施例概念図である。
【００１５】
図において，処理装置１０に指向性マイクロフォンＭＩＣ（以下単にＭＩＣと表記する）で集音される音声信号がセンスアンプ（ＡＭＰ）１１を通して入力される。
【００１６】
処理装置１０には，デジタルストレージスコープ（ＤＳＳ）１２が接続されている。
【００１７】
処理装置１０は，図ではパーソナルコンピュータを例にして示しているが，本発明の骨折防止システムを実現するプログラムを実行する処理装置である。前記センスアンプ１１及びデジタルストレージスコープ１２の機能のいずれか又はそれらの機能を処理装置１０に含めて構成しても良い。
【００１８】
大腿骨頸部骨折症例に対して，セメントによりステムを固定する従来の人工骨頸置換術においては，有機溶剤であるセメントの人骨に対する副作用が懸念される。これに対して，本発明の関わるセメントレスで行う人工骨頸置換術は，セメントの人骨に対する副作用の懸念は生じないが，形態を図２に示す一例としてチタン合金で生成されている人工骨頸となるステム２２が，大腿骨２３に確実に固定されていることが必要である。  
【００１９】
したがって，施術者２０が，ハンマー２１により人工骨頸となるステム２２を大腿骨２３に打ち込み，ステム２２を大腿骨２３に固定することが行われる。
【００２０】
図３は，本発明の骨折防止システムに適用される処理装置１０の一構成例機能ブロック図である。図３に示す構成例では，センスアンプ１１及びデジタルストレージスコープ１２の機能部が，処理装置１０内に備えられた構成である。
【００２１】
バス（ＢＵＳ）を通して，それぞれの機能ブロックが接続されている。
【００２２】
ＣＰＵ１は，処理手段であって，書込み，消去可能な記憶手段２に格納されるプログラムを実行して本発明に従う骨折防止システムを実現する。記憶手段２として，ハードディスクメモリ，あるいは書込み，消去可能なＥＥＰＲＯＭ等が使用される。
【００２３】
ＲＡＭ３は，ＣＰＵ２による処理過程のデータを一時保持するメモリである。ＣＰＵ１により演算処理されてディスプレイ５に表示する画像が描画されるビデオメモリ（ＶＲＡＭ）４を有し，ＶＲＡＭ４に描画された画像データは，所定周期で読み出されてディスプレイ５に表示される。
【００２４】
アラーム表示部６を有し，後に説明するようにステム２２の打ち込み時の発生音がＭＩＣで集音され，ＣＰＵ１で処理された結果として，ＣＰＵ１からの制御信号が出力される。この制御信号に基づきステム２２の打ち込み過多により骨折事故を防ぐために，アラーム表示部６は，施術者に警告を示す警報信号を生成し表示する。
【００２５】
また，モデム機能部７を有し，アラーム表示部６で生成された，施術者に警告を表示する信号を有線，又は無線により送信して，離隔場所の別個の表示装置に表示させるようにしてもよい。
【００２６】
図４は，図３の構成により実行される，本発明に従う一実施例の処理フローである。
【００２７】
ＣＰＵ１により記憶手段２に格納されるプログラムを読み取り実行し，処理がスタートすると，ハンマー２１による打ち込み時の音が，ＭＩＣにより集音される（ステップＳ１）。ＭＩＣにより集音される音声信号は，センサアンプ１１により増幅され，処理装置１０に入力される（ステップＳ１）。
【００２８】
処理装置１０に入力された音声信号は，ＲＡＭ３に一旦格納され，直流レベルノイズを削除してデジタルストレージスコープ１２に送られる。デジタルストレージスコープ１２は，ＲＡＭ３に格納された音声信号の周波数スペクトラムの分布（パワースペクトラム）を求める（ステップＳ２）。
【００２９】
ＣＰＵ１は，デジタルストレージスコープ１２により求められたパワースペクトラムをフーリエ変換し，包絡に沿った曲線のピークであるフォルマントを検出し（ステップＳ３），そのフォルマント周波数をＲＡＭ３に上書き記憶する（ステップＳ４）。
【００３０】
図５は，かかるフォルマント周波数とスペクトル強度の一例を示す図である。スペクトル強度が最大となる周波数をフォルマント周波数として検出する。
【００３１】
ＣＰＵ１は，検出したフォルマント周波数をＲＡＭ３に上書き記憶する際に，既に記憶されているフォルマント周波数があれば，先に記憶されている周波数と同じか否かを判断する（ステップＳ５）。
【００３２】
先に記憶されているフォルマント周波数と同じでなければ（ステップＳ５，ＮＯ），検出したフォルマント周波数をＲＡＭ３に上書き記憶してステップＳ１の処理に戻り，ＭＩＣ１１でハンマー２１による打ち込み時の音を更に集音して，ステップＳ１−Ｓ５の処理を繰り返す。
【００３３】
先に記憶されているフォルマント周波数と同じであれば（ステップＳ５，ＹＥＳ），フォルマント周波数をＲＡＭ３に上書き記憶し，ＣＰＵ１に有するカウンタの値を＋１する（ステップＳ６）。
【００３４】
ついで，ＣＰＵ１は，カウンタの値が所定回数であるか否かを判断する（ステップＳ７）。カウンタの値が所定回数より小さければ，ステップＳ１の処理に戻り，ＭＩＣ１１でハンマー２１による打ち込み時の音を集音して，ステップＳ１−Ｓ７の処理を繰り返す。
【００３５】
カウンタの値が所定回数（後に説明する実施例に基づき３回と設定）に達していれば（ステップＳ７，ＹＥＳ），臨界点（更にステム２２の打ち込みを続けると大腿骨の骨折に繋がる）に達したと判断して，ＣＰＵ１は，アラーム表示部６に制御信号を送り，施術者２０に警告を表示させる（ステップＳ８）。この警告の表示は，警報音を発生するか，ランプにより警報を表示するか，あるいは，その両方により，アラーム表示部６は，施術者に警報を表示する。
【００３６】
施術者２０は，かかる警報の表示を受けると，ステム２２の大腿骨２３への打ち込みが十分で有り，ステム２２と大腿骨２３の結合が十分であると判断して，ステム２２の打ち込みを停止する。これにより，施術者２０は，感覚によらず，又施術経験の少ない施術者であっても，大腿骨２３の骨折事故を防ぎ，適切なステム２２の打ち込みを完了すること可能である。
【００３７】
[実験例]
本発明者は，実験により，ステムの打ち込み回数と骨折の関係を求めた。
【００３８】
実験例１：
セラミック製の模擬骨を用い，ステムを打ち込むハンマリング回数とフォルマント周波数の関係を求めた。
【００３９】
図６は，かかる実験により求めたハンマリング回数とフォルマント周波数の関係を示すグラフである。グラフにおいて，領域Ａで模擬骨の骨折が見られた。そして，骨折前の領域Ｂでは，それ以前の非収束のフォルマント周波数に対し，同じフォルマント周波数の繰り返す収束の状態(少なくとも３回の同じフォルマント周波数の繰り返し)が観察された。
【００４０】
実験例２：  
組織のある屍体骨を用い，ステムを打ち込むハンマリング回数とフォルマント周波数の関係を求めた。
【００４１】
図７は，かかる実験により求めたハンマリング回数とフォルマント周波数の関係を示すグラフである。グラフにおいて，Ａ時点で屍体骨の骨折が見られた。骨折の時点より前の領域Ｂでは，実験例１と同様に，フォルマント周波数が非収束の状態から，同じフォルマント周波数を繰り返す収束状態が観察された。
【００４２】
実験例３：
組織のある屍体骨を用いて，ステムを打ち込むハンマリング回数と，フォルマント周波数及び骨に加わる応力の関係を求めた。  
【００４３】
図８は，実験例３における実験結果のグラフであり，実線がフォルマント周波数の変化，破線が応力の変化のグラフである。かかる実験結果から応力の増加の時点で，フォルマント周波数が小さくなり同じ周波数が繰り返される傾向にある事が確認された。
【００４４】
実験例４：
実験例３と同様に，組織のある屍体骨を用いて，ステムを打ち込むハンマリング回数と，フォルマント周波数及び骨に加わる応力の関係を求めた。  
【００４５】
図９は，実験例４における実験結果のグラフであり，実線がフォルマント周波数の変化，破線が応力の変化のグラフである。かかる実験において，急激に応力が増加したＡ領域で骨折が確認された。そして，骨折を確認した時点より前に同じフォルマント周波数が繰り返される領域Ｂが生じていることが確認された。
【００４６】
実験例５：
生体骨について，ステムを打ち込むハンマリング回数とフォルマント周波数の関係を求めた。  
【００４７】
図１０は，かかる実験例５により求めたハンマリング回数とフォルマント周波数の関係を示すグラフである。この実験では，フォルマント周波数の非収束状態が続き，その後に同じフォルマント周波数が繰り返し収束安定する状態Ｂが観察された。
【００４８】
観察例：
実際の人工股関節置換技術において，５症例を観察した。
【００４９】
５症例は，いずれも骨折の副作用は生じなかった。そのうちの１例は，ステムを打ち込み終了前のフォルマント周波数は，非収束であった。他の４例は，ステムを打ち込み終了前の平均フォルマント周波数の収束状態が観察された。
【００５０】
以上の実験例及び観察から本発明者は，非特許文献２に記載のようにステム打ち込み終了時にフォルマント周波数が一定となることを確認した。
【００５１】
したがって，本発明者は，図４のフロー図に従い本発明の実施例を説明したように，パワースペクトラムの最大となる周波数が連続することを確認して，施術者に警報を表示することにより骨折に至る状態を確実に回避出来るようにした。
【００５２】
これにより，施術者の感覚によらずに，又経験によらずに，骨折の副作用を回避して人工骨頸置換術を施すことが出来る。
【符号の説明】
【００５３】
１  ＣＰＵ
２  記憶手段
３  ＲＡＭ
４  ビデオＲＡＭ
５  ディスプレイ
６  アラーム表示部
７  モデム機能部
１０  処理装置
１１  センスアンプ
１２  デジタルストレージスコープ
２０  施術者
２１  ハンマー
２２  ステム
２３  大腿骨
ＭＩＣ  指向性マイクロフォン
【図１】
2014161481.tif 000003
【図３】
2014161481.tif 000004
【図４】
2014161481.tif 000005
【図１０】
2014161481.tif 000006
【図２】
2014161481.tif 000007
【図５】
2014161481.tif 000008
【図６】
2014161481.tif 000009
【図７】
2014161481.tif 000010
【図８】
2014161481.tif 000011
【図９】
2014161481.tif 000012